(57)【要約】【課題】ＧＵＩ表示を持つプリンタ装置において、原画像のフォーマット変換と表示画面に適した画像サイズへの変換とを同時に行うことを可能とする。【解決手段】プリンタ装置は、画像印刷部と、原画像より画素数の少ないＬＣＤ部に印刷画像を表示する画像変換処理部を有する画像変換表示装置とを備える。画像変換表示装置は、原画像の水平方向の６４０ピクセルを４ピクセル毎に分割し、各４ピクセルを２つの連続するライン毎にまとめて８ピクセル毎のグループを構成し、このグループ毎にそれらの中で隣接する４ピクセルの組を３組形成する。さらに、これら３組内の４ピクセルから各Ｒ、Ｇ、Ｂの画素レベルを抽出し、これらを平均して得た変換Ｒ、Ｇ、Ｂ画素レベルにより、ＬＣＤ部のＲ、Ｇ、Ｂピクセルを順次表示する。これにより、原画像のフォーマット変換と表示画面に適した画像サイズへの変換とを同時に行うことができる。【選択図】図７
2008114551.tif 000002
【特許請求の範囲】
【請求項１】
原画像を記憶する画像記憶手段と、前記原画像を用紙に記録する画像記録手段と、前記原画像を該原画像より画素数の少ない画像に画像変換する画像変換手段と、この画像変換手段で画像変換された画像（以下、変換画像という）を表示する画像表示手段と、装置全体を制御する制御手段と、を備え、前記画像表示手段に表示された変換画像から任意の画像を選択して前記画像記録手段により用紙に原画像を記録するプリンタ装置であって、
前記画像記憶手段に記憶された原画像は、水平方向が６４０ピクセル、垂直方向が４８０ラインの格子状のピクセル配置を有する画像であり、各ピクセルで２４ビットフルカラーの色表現を行うことができ、
前記画像表示手段は、水平方向にＲ、Ｇ、Ｂのピクセルを合計で４８０ピクセル有し、垂直方向に２４０本の水平走査ラインを有すると共に、前記各ピクセルが水平走査ラインの偶数ラインと奇数ライン間で互いに半ピクセル間隔ずれて配列された液晶表示デバイスを含み、
前記画像変換手段は、前記原画像の水平方向のラインの全ピクセルをそれぞれの走査始点から順に４ピクセル毎に分割し、さらに、２つの連続する水平方向のライン毎に前記分割された各４ピクセルをまとめて８ピクセル毎のグループを構成し、この８ピクセルのグループ毎にそれらのグループ内で隣接する４ピクセルの組を３組形成し、これら３組内の４ピクセルから４つのＲ、Ｇ、Ｂの画素レベルをそれぞれ抽出し、これら抽出した画素レベルからＲ、Ｇ、Ｂ毎の平均画素レベルを求めて変換Ｒ、Ｇ、Ｂ画素レベルを算出し、
前記制御手段は、前記画像表示手段の水平方向のＲ、Ｇ、Ｂのピクセルを前記変換Ｒ、Ｇ、Ｂ画素レベルで順次表示することにより、前記原画像のフォーマット変換と表示画面に適した画像サイズへの変換とを同時に行うことを可能としたことを特徴とするプリンタ装置。
【請求項２】
原画像を記憶する画像記憶手段と、前記原画像を該原画像より画素数の少ない画像に画像変換する画像変換手段と、この画像変換手段で画像変換された画像（以下、変換画像という）を表示する画像表示手段と、装置全体を制御する制御手段と、を備えた画像変換表示装置であって、
前記画像記憶手段に記憶された原画像は、水平方向が６４０ピクセル、垂直方向が４８０ラインの格子状のピクセル配置を有する画像であり、
前記画像表示手段は、水平方向にＲ、Ｇ、Ｂのピクセルを合計で４８０ピクセル有し、垂直方向に２４０本の水平走査ラインを有する表示デバイスを含み、
前記画像変換手段は、前記原画像の水平ラインの全ピクセルを４ピクセル毎に分割し、さらに、２つの連続する水平方向のライン毎に前記分割された各４ピクセルをまとめて８ピクセル毎のグループを構成し、この８ピクセルのグループ毎に各グループ内で同数のピクセルから各Ｒ、Ｇ、Ｂ画素の画素レベルを抽出して、これら抽出した各画素レベルに基いて、変換Ｒ、Ｇ、Ｂ画素レベルを求め、
前記制御手段は、前記画像表示手段の水平方向のＲ、Ｇ、Ｂのピクセルを前記変換Ｒ、Ｇ、Ｂ画素レベルで順次表示することにより、前記原画像のフォーマット変換と表示画面に適した画像サイズへの変換とを同時に行うことを可能としたことを特徴と画像変換表示装置。
【請求項３】
前記画像変換手段は、前記８ピクセルのグループ毎に各グループ内で隣接する４ピクセルの組を３組選択し、これら３組の４ピクセルからそれぞれ４つのＲ、Ｇ、Ｂの画素レベルを抽出し、この抽出した画素レベルからＲ、Ｇ、Ｂ毎の平均画素レベルを求めて変換Ｒ、Ｇ、Ｂ画素レベルを算出することを特徴とする請求項２に記載の画像変換表示装置。
【発明の詳細な説明】
【技術分野】
【０００１】
本発明は、画像変換表示装置と、この画像変換表示装置を用いたプリンタ装置に関するものである。
【背景技術】
【０００２】
従来から、プリンタは、パソコンなどからの外部入力画像を印刷すると共に、デジタルカメラで撮像された画像等を半導体メモリに記憶し、この半導体メモリの画像を印刷する。このようなメモリ画像を印刷する際、ユーザは、多くの画像の中から印刷したい画像だけを選択して印刷することが多い。このため、プリンタ装置は、予めメモリ画像の一覧をディスプレイに表示して、その中から印刷したい画像を選択するためのグラフィック・ユーザ・インターフェース（ＧＵＩ）を備えていることが望まれる。しかしながら、デジタルカメラの高解像度化に伴い、撮像画素数が増大するため、画像表示する液晶表示デバイス（ＬＣＤという）等における表示画素数も増え、原画像をそのまま表示しようとするとＬＣＤ等の表示画面を拡大する必要があった。しかしながら、通常のプリンタでは表示画面を大きくするとコストアップになると共に、プリンタ自体が大型化するという問題があった。このため、原画像を画像変換し、表示画素数を低減してディスプレイを小型化することが望まれていた。
【０００３】
ところで、特許文献１に示されるように、解像度の高い元のカラーイメージを解像度の低いカラーディスプレイに表示するための方法として、元のカラーイメージをカラーディスプレイのピクセル数と同数のグループに分け、各グループをカラーディスプレイの１つのピクセルに整合させ、各グループ内の３つの異なるピクセルからＲＧＢバリューを抽出し、このＲＧＢバリューをカラーディスプレイに対応するピクセルに割り当て、カラーイメージを表示する方法が知られている。しかしながら、この表示方法においては、元のカラーイメージの水平方向のピクセル数をカラーディスプレイの水平走査ラインのピクセルに変換できるが、垂直方向において必ずしもライン数を合わせることができなかった。また、ＲＧＢバリューを各グループ内の異なるピクセルからそれぞれ選んで表示するので元の画素間の間隔が広くなる場合があり、このときには選択された画素間の相関性が低くなるので画面がざらついて画質が劣化することがあった。
【０００４】
また、特許文献２に示されるように、第１の画素数を有するデジタル映像データが第１の周期で入力され、第１の画素数と異なる第２の画素数に変換して第２の周期で表示する表示装置において、映像データの隣接する２つのデータに対し、第１及び第２の周期のタイミングずれに応じた重み付けを行って新たなデータを作成する画素数調整回路を有した表示装置が知られている。しかしながら、この表示装置では、元の画像をサンプリングして重み付けを必要とするなど、画像処理及びその回路構成が複雑化し、高価となると共に、画像処理時間が長くなり変換応答が遅くなる課題があった。また、特許文献３に示されるように、画素配列が正方配列である画像を表示セル配列が正方形でない表示デバイスによって表示するために、入力画像データに対して整数比Ｍ：Ｎの解像度変換及び直線表示品位を高めるデータ補正を兼ねる重み付け加算演算を行うデータ変換回路を備えたカラー画像表示装置が知られている。この装置においても、データ変換に重み付けを必要とするため、回路構成が複雑となり高価となっていた。また、特許文献４に示されるように、表示画面の２倍の走査線数を有する原画像データを走査線変換手段によって走査線数を約１／２に変換して表示するデルタ配列のＰＤＰパネル駆動装置が知られている。しかしながら、この装置では、走査線数は１／２に変換されるが水平方向の解像度の変換が行われないので、表示画面を縮小することができない。
【特許文献１】特開平１１‐３１６５６８号公報
【特許文献２】特開２００２‐３５１４２４号公報
【特許文献３】特開２００３‐２７１０８８号公報
【特許文献４】特開２００２‐１５６９４０号公報
【発明の開示】
【発明が解決しようとする課題】
【０００５】
本発明は、上記の問題を解決するためになされたものであり、簡単な画像変換処理により原画像のフォーマット変換と表示画面に適したサイズへの変換とを同時に行うことを可能とする画像変換表示装置とそれを用いたプリンタ装置を提供することを目的とする。
【課題を解決するための手段】
【０００６】
上記目的を達成するため請求項１の発明は、原画像を記憶する画像記憶手段と、前記原画像を用紙に記録する画像記録手段と、前記原画像を該原画像より画素数の少ない画像に画像変換する画像変換手段と、この画像変換手段で画像変換された画像（以下、変換画像という）を表示する画像表示手段と、装置全体を制御する制御手段と、を備え、前記画像表示手段に表示された変換画像から任意の画像を選択して前記画像記録手段により用紙に原画像を記録するプリンタ装置であって、前記画像記憶手段に記憶された原画像は、水平方向が６４０ピクセル、垂直方向が４８０ラインの格子状のピクセル配置を有する画像であり、各ピクセルで２４ビットフルカラーの色表現を行うことができ、前記画像表示手段は、水平方向にＲ、Ｇ、Ｂのピクセルを合計で４８０ピクセル有し、垂直方向に２４０本の水平走査ラインを有すると共に、前記各ピクセルが水平走査ラインの偶数ラインと奇数ライン間で互いに半ピクセル間隔ずれて配列された液晶表示デバイスを含み、前記画像変換手段は、前記原画像の水平方向のラインの全ピクセルをそれぞれの走査始点から順に４ピクセル毎に分割し、さらに、２つの連続する水平方向のライン毎に前記分割された各４ピクセルをまとめて８ピクセル毎のグループを構成し、この８ピクセルのグループ毎にそれらのグループ内で隣接する４ピクセルの組を３組形成し、これら３組内の４ピクセルから４つのＲ、Ｇ、Ｂの画素レベルをそれぞれ抽出し、これら抽出した画素レベルからＲ、Ｇ、Ｂ毎の平均画素レベルを求めて変換Ｒ、Ｇ、Ｂ画素レベルを算出し、前記制御手段は、前記画像表示手段の水平方向のＲ、Ｇ、Ｂのピクセルを前記変換Ｒ、Ｇ、Ｂ画素レベルで順次表示することにより、前記原画像のフォーマット変換と表示画面に適した画像サイズへの変換とを同時に行うことを可能としたものである。
【０００７】
請求項２の発明は、原画像を記憶する画像記憶手段と、前記原画像を該原画像より画素数の少ない画像に画像変換する画像変換手段と、この画像変換手段で画像変換された画像（以下、変換画像という）を表示する画像表示手段と、装置全体を制御する制御手段と、を備えた画像変換表示装置であって、前記画像記憶手段に記憶された原画像は、水平方向が６４０ピクセル、垂直方向が４８０ラインの格子状のピクセル配置を有する画像であり、前記画像表示手段は、水平方向にＲ、Ｇ、Ｂのピクセルを合計で４８０ピクセル有し、垂直方向に２４０本の水平走査ラインを有する表示デバイスを含み、前記画像変換手段は、前記原画像の水平ラインの全ピクセルを４ピクセル毎に分割し、さらに、２つの連続する水平方向のライン毎に前記分割された各４ピクセルをまとめて８ピクセル毎のグループを構成し、この８ピクセルのグループ毎に各グループ内で同数のピクセルから各Ｒ、Ｇ、Ｂ画素の画素レベルを抽出して、これら抽出した各画素レベルに基いて、変換Ｒ、Ｇ、Ｂ画素レベルを求め、前記制御手段は、前記画像表示手段の水平方向のＲ、Ｇ、Ｂのピクセルを前記変換Ｒ、Ｇ、Ｂ画素レベルで順次表示することにより、前記原画像のフォーマット変換と表示画面に適した画像サイズへの変換とを同時に行うことを可能としたものである。
【０００８】
請求項３の発明は、請求項２に記載の画像変換表示装置において、前記画像変換手段は、前記８ピクセルのグループ毎に各グループ内で隣接する４ピクセルの組を３組選択し、これら３組の４ピクセルからそれぞれ４つのＲ、Ｇ、Ｂの画素レベルを抽出し、この抽出した画素レベルからＲ、Ｇ、Ｂ毎の平均画素レベルを求めて変換Ｒ、Ｇ、Ｂ画素レベルを算出するものである。
【発明の効果】
【０００９】
請求項１の発明によれば、原画像が垂直方向の水平ライン数を１／２に、かつ水平方向のピクセル数を３／４に変換されるので、原画像よりピクセル数の少ない画像表示手段に原画像の解像度を低くして画面表示することができる。従って、表示画面を小さくでき、原画像のフォーマット変換と表示画面に適した画像サイズへの変換を同時に行うことが可能となる。これにより、多数の画像を画像表示手段に表示できるので、画像表示手段に表示された多くの変換画像から印刷したい画像を選択でき、画像印刷時におけるＧＵＩのサービス性を高めることができる。また、画像表示手段に表示する変換Ｒ、Ｇ、Ｂ画素レベルを、原画像における３組の４ピクセルから抽出したそれぞれ４つのＲ、Ｇ、Ｂ画素レベルの平均により算出するので、従来のようなサンプリングによる重み付け等の複雑な画像演算処理を必要とせず回路構成が簡単となり安価にでき、かつ画像処理時間を短くできる。また、画像表示手段に表示する変換Ｒ、Ｇ、Ｂ画素レベルを相関性が高い隣接する４つのピクセルの平均値より求めるので、画素間の相関性が高くなり画素間における急激な画像レベル変化が生じ難く、表示画面のざらつきを低減でき、変換による画質の劣化を抑制できて画像を見易くできる。
【００１０】
請求項２の発明によれば、原画像の２つの連続する水平方向のライン数が１／２に変換されると共に、水平方向のピクセル数が３／４に変換されるので、原画像の解像度を低くして画像表示手段に表示することができる。従って、表示画面を小さくでき、原画像のフォーマット変換と表示画面に適した画像サイズへの変換を同時に行うことが可能となる。これにより、原画像の画像を画像表示手段に沢山表示できるので、画像表示手段に表示された多くの変換画像から印刷したい画像を選択でき、画像印刷時におけるＧＵＩのサービス性を高めることができる。また、画像表示手段に表示する変換Ｒ、Ｇ、Ｂ画素レベルを、原画像における同数のピクセルから抽出した複数の各Ｒ、Ｇ、Ｂ画素レベルを基に算出するので、原画像から画像表示手段への変換画像を確実に得ることができる。
【００１１】
請求項３の発明によれば、Ｒ、Ｇ、Ｂ画素レベルを、３組の４ピクセルから抽出したそれぞれのＲ、Ｇ、Ｂ画素レベルの平均により算出するので、従来のようなサンプリングによる重み付け等の複雑な画像演算処理を必要とせず、回路構成が簡単となり安価にできると共に、画像処理時間を短くできる。また、Ｒ、Ｇ、Ｂ画素レベルを隣接する４つのピクセルの平均値により求めるので、画素間の相関性が高くなり画面のざらつきを抑制でき画質の劣化を防ぐことができる。
【発明を実施するための最良の形態】
【００１２】
以下、本発明の一実施形態に係るプリンタ装置について図１及び図２を参照して説明する。図１は、プリンタ装置１の構成を示す。プリンタ装置１は、例えばパソコンやメモリカード等の外部メモリ２０から入力される画像データを基に用紙３に画像を記録する装置である。このプリンタ装置１は、筐体２と、用紙３が装填される給紙トレイ４と、印刷した用紙を排紙する排紙部５と、原画像を用紙３に記録する画像印刷部６（画像記録手段）と、原画像を画像変換して表示する画像変換表示装置７とを備えている。画像変換表示装置７は、原画像を記憶する原画像記憶部８と、原画像をその原画像より画素数の少ない画像に画像変換する画像変換処理部９（画像変換手段）と、筐体２の上面に位置し画像変換処理部９で画像変換された画像（以下、変換画像という）を表示する液晶表示デバイス（ＬＣＤという）から成るＬＣＤ部１０（画像表示手段）と、装置全体を制御する制御部１１（制御手段、ＣＰＵ）と、画像変換処理部９及び制御部１１等における制御情報を含む各種情報を記憶するメモリ１２とを備える。ＬＣＤ部１０は、その表示画面に表示された変換画像から任意の画像をタッチパネル等で選択するための画像選択部１３を備え、筐体２の前面には、外部メモリ２０を挿入できるメモリ挿入孔１４が設けられている。このメモリ挿入孔１４には、外部メモリ２０が挿入され、外部メモリ２０内の画像データは、原画像記憶部８に供給される。
【００１３】
上記プリンタ装置１においては、画像変換表示装置７のＬＣＤ部１０は、予め原画像記憶部８で記憶されたメモリ画像の一覧をＬＣＤディスプレイ上に表示して、ユーザがこの表示画面の中から画像選択部１３により印刷希望画像を選択し、画像印刷部６により選択した画像を印刷することができるグラフィック・ユーザ・インターフェース（ＧＵＩという）となっている。
【００１４】
ここで、原画像記憶部８に記憶されたＧＵＩの原画像の画像仕様と、ＬＣＤ部１０の画面表示仕様について説明する。原画像の画像仕様は、図３（ａ）、（ｂ）に示すように、水平方向が６４０ピクセル（輝点）、垂直方向が４８０ラインの格子状のストライブ型のピクセル配置を有する画像であり、１つのピクセル内に３原色のＲ、Ｇ、Ｂを有し、各ピクセルでフルカラー２４ビット（Ｒ＋Ｂ＋Ｇ）の色表現を行うことができる。即ち、１ピクセルでは、２５６階調×２５６階調×２５６階調の色表現が可能である。また、ＬＣＤ部１０は、図４（ａ）、（ｂ）に示すように、水平方向に単色の８ビットをから成るＲ、Ｇ、Ｂをそれぞれ１ピクセルとして合計で４８０ピクセルを有し、垂直方向に２４０本の水平走査ラインを有する。即ち、１ピクセルで２５６階調の１色のみの色表現を行う。また、ＬＣＤ部１０は、偶数ラインと奇数ラインでＲ、Ｇ、Ｂの各ピクセルの配置が異なる。偶数ラインでは、Ｒから始まり、Ｇ、Ｂ、Ｒ、Ｇ、Ｂ・・・と並び、奇数ラインでは、Ｇから始まり、Ｂ、Ｒ、Ｇ、Ｂ、Ｇ・・・と並ぶ。さらに、各ピクセルが水平走査ラインの偶数ラインと奇数ライン間で互いに半ピクセル間隔づつずれ、Ｒ、Ｇ、Ｂが連続する奇数ラインと偶数ライン間で三角形を成すデルタ型に配列されている。
【００１５】
この原画像とＬＣＤ部１０の表示画面との仕様比較を表１にまとめて示す。
【表１】
2008114551.tif 000003
【００１６】
次に、この表１を参照して、画像変換処理部９による原画像をＬＣＤ部１０の表示形式に変換する画像変換について説明する。この画像変換においては、原画像とＬＣＤ部１０の表示画面は、垂直方向（縦方向）において、走査線数の比が２：１であることから、原画像の水平走査線数を１／２に変換することにより、原画像の垂直方向の画像をＬＣＤ部１０の垂直方向の表示形式に合わせることができる。また、水平方向（横方向）については、ＬＣＤ部１０の水平方向（横方向）の単色の４８０ピクセルは、Ｒ、Ｇ、Ｂの３原色分を１ピクセル（３原色換算）と見なすと、４８０ピクセルを３分割した１６０の３原色のピクセルからなる。また、原画像の水平方向の１ピクセルは、元々３原色から成るピクセルであることから、原画像の６４０ピクセルを４分割して１６０のピクセル群を形成し、これらをＬＣＤ部１０の１６０ピクセルに変換することにより、原画像をＬＣＤ部１０の水平方向の表示形式に合わせて変換することができる。
【００１７】
ここで、画像変換表示装置７による画像変換の手順について図５のフローチャートを参照して説明する。制御部１１は、プリンタ装置１の電源が入力されると、外部メモリ２０等から入力された原画像を記憶している原画像記憶部８から原画像を画像変換処理部９に供給する。画像変換処理部９は、この原画像の水平方向のラインにおける全６４０ピクセルをそれぞれの走査始点から順に４ピクセル毎に分割する（Ｓ１）。さらに、画像変換処理部９は、連続する水平方向の２ライン毎に、分割された各４ピクセルを対にまとめて８ピクセル毎のグループを構成し（Ｓ２）、この８ピクセルのグループ毎にそれらのグループ内で隣接する４ピクセルの組を３組形成する（Ｓ３）。次に、画像変換処理部９は、これら４ピクセルを有する３組からそれぞれ４つのＲ、Ｇ、Ｂ画素レベルを抽出し、これら抽出した画素レベルからＲ、Ｇ、Ｂ毎の平均画素レベルを求めて変換Ｒ、Ｇ、Ｂ画素レベルを算出する（Ｓ４）。そして、制御部１１は、ＬＣＤ部１０の水平方向のＲ、Ｇ、Ｂのピクセルを変換Ｒ、Ｇ、Ｂ画素レベルで順次表示する（Ｓ５）。これにより、原画像のＬＣＤ部１０の表示画面へのフォーマット変換が行われる。また、この画像変換により、原画像のＬＣＤ部１０の表示画面のサイズへのサイズ変換を行うことができる。
【００１８】
図６、図７を参照して、画像変換表示装置７による画像変換について具体的に説明する。この画像変換では、フォーマット変換において、図６（ａ）に示す原画像を、そのビットマップで示す格子状のストライプ型のピクセル配置から、図６（ｂ）に示すＬＣＤ部１０のデルタ型のピクセル配置に変換する。例えば、原画像の水平方向のラインｍ０、ｍ１、ｍ２、ｍ３・・において２つの連続する水平ライン（例えば、ｍ０、ｍ１）から、ＬＣＤ部１０の１つの水平ライン（例えば、Ｍ０）が形成される。また、垂直方向の縦列ラインｎ０、ｎ１、ｎ２、ｎ３・・の各ピクセルを互いに組合わせて、ＬＣＤ部１０の垂直方向の縦列ラインＮ０、Ｎ１、Ｎ２、Ｎ３・・・の各ピクセルが形成される。
【００１９】
これらピクセル間の画像の変換について、図７（ａ）乃至（ｆ）を参照して、さらに詳細に説明する。ここで、図７（ａ）、（ｂ）、（ｄ）に示すように、格子状の原画像において、垂直方向の水平ラインの番号を走査順にｍ０、ｍ１、ｍ２、ｍ３・・・ｍＫとし、水平方向のピクセルの縦列ライン番号を走査始点から順にｎ０、ｎ１、ｎ２、ｎ３・・ｎＬとして表し、水平ラインｍＫの縦列ラインｎＬ上におけるピクセルをＰＫＬ（ｍＫ、ｎＬ）で表す。また、図７（ｃ）、（ｅ）、（ｆ）に示すように、ＬＣＤ部１０の表示画面において、垂直方向の水平走査ラインの番号を走査順にＭ０、Ｍ１、Ｍ２、Ｍ３・・・ＭＫとし、水平方向のピクセルの縦列ライン番号を走査始点から順にＮ０、Ｎ１、Ｎ２、Ｎ３・・ＮＬとして表し、ＬＣＤ部１０の水平走査ラインＭＫの縦列ラインＮＬ上におけるピクセルをＱＫＬ（ＭＫ、ＮＬ）で表す。
【００２０】
この画像変換は、以下のようにして行う。すなわち、まず、図７（ａ）の原画像に示すように、最初の連続する２水平ラインの偶数ラインｍ０と奇数ラインｍ１上の走査始点から縦列ラインｎ０、ｎ１、ｎ２、ｎ３にある各４ピクセルから成る８ピクセルと、次の連続する２水平ラインの偶数ラインｍ２、奇数ラインｍ３上の縦列ラインｎ０、ｎ１、ｎ２、ｎ３にある各４ピクセルから成る８ピクセルとの計１６ピクセル（４ピクセル×４ライン）を取り出す。次に、この１６ピクセルを変換して、図７（ｆ）に示すＬＣＤ部１０における表示画面の最初の連続する２水平走査ラインＭ０、Ｍ１の走査始点から順に各３ピクセルに表示する。以下、全体の画像変換は、この変換を繰り返して行うものである。
【００２１】
上記１６ピクセルにおいて、原画像の最初の水平方向の２ラインにおける偶数ラインｍ０、奇数ラインｍ１上と縦列ラインｎ０、ｎ１、ｎ２、ｎ３上とにある各４ピクセルを、Ｐ００（ｍ０、ｎ０）、Ｐ０１（ｍ０、ｎ１）、Ｐ０２（ｍ０、ｎ２）、Ｐ０３（ｍ０、ｎ３）及びＰ１０（ｍ１、ｎ０）、Ｐ１１（ｍ１、ｎ１）、Ｐ１２（ｍ１、ｎ２）、Ｐ１３（ｍ１、ｎ３）で表す。また、次の２走査ラインにおける偶数ラインｍ２、奇数ラインｍ３上と縦列ラインｎ０、ｎ１、ｎ２、ｎ３上とにある各４ピクセルを、Ｐ２０（ｍ２、ｎ０）、Ｐ２１（ｍ２、ｎ１）、Ｐ２２（ｍ２、ｎ２）、Ｐ２３（ｍ２、ｎ３）及びＰ３０（ｍ３、ｎ０）、Ｐ３１（ｍ３、ｎ１）、Ｐ３２（ｍ３、ｎ２）、Ｐ３３（ｍ３、ｎ３）と表す。また、ＬＣＤ部１０の表示画面においては、最初の連続する２つの水平走査ラインＭ０、Ｍ１における各Ｒ、Ｇ、Ｂの各ピクセルは、Ｒ００＝Ｑ００（Ｍ０、Ｎ０）、Ｇ０１＝Ｑ０１（Ｍ０、Ｎ１）、Ｂ０２＝Ｑ０２（Ｍ０、Ｎ２）及びＧ１０＝Ｑ１０（Ｍ１、Ｎ０）、Ｂ１１＝Ｑ１１（Ｍ１、Ｎ１）、Ｒ１２＝Ｑ０２（Ｍ１、Ｎ２）で表す。以下、上記１６ピクセル以外の他のピクセル、Ｒ、Ｇ、Ｂも同様に表わすことができる。
【００２２】
次に、原画像の上記１６ピクセルからＬＣＤ部１０の表示画面への変換においては、先ず、図７（ｂ）、（ｃ）に示すように、原画像の最初の連続する２水平ラインｍ０、ｍ１の８ピクセルから、ＬＣＤ部１０の最初の水平走査ラインＭ０におけるＲ、Ｇ、ＢをピクセルＲ００、Ｇ０１、Ｂ０２として形成する。ここで、Ｒ００は、最初の２水平ラインｍ０、ｍ１における走査始点から最初の２ピクセル、すなわちＰ００（ｍ０、ｎ０）、Ｐ０１（ｍ０、ｎ１）、及びＰ１０（ｍ１、ｎ０）、Ｐ１１（ｍ１、ｎ１）の各ピクセルに含まれるＲ、Ｇ、Ｂ画素要素から、それぞれのＲ画素要素のみを抽出して、それらを合計して平均を取ることにより求める。また、Ｇ０１は、最初の２水平ラインｍ０、ｍ１における走査始点から２番目と３番目の連続して隣接する２ピクセル、すなわちＰ０１（ｍ０、ｎ１）、Ｐ０２（ｍ０、ｎ２）、及びＰ１１（ｍ１、ｎ１）、Ｐ１２（ｍ１、ｎ２）の各ピクセルに含まれるＲ、Ｇ、Ｂ画素要素から、それぞれＧ画素要素のみを抽出して、それらを合計して平均を取ることにより求める。同様に、Ｂ０２は、最初の２水平ラインｍ０、ｍ１における走査始点から３番目と４番目の連続して隣接する２ピクセル、すなわちＰ０２（ｍ０、ｎ２）、Ｐ０３（ｍ０、ｎ３）、及びＰ１２（ｍ１、ｎ２）、Ｐ１３（ｍ１、ｎ３）の各ピクセルに含まれるＲ、Ｇ、Ｂ画素要素から、それぞれＢ画素要素のみを抽出して、それらを合計して平均を取ることにより求める。すなわち、原画像の４ピクセル×２ラインからＬＣＤ１０の表示画面のＲ、Ｇ、Ｂの各ピクセルを形成する。
【００２３】
従って、原画像の各ピクセルＰＫＬ（ｍＫ、ｎＬ）におけるＲ、Ｇ、Ｂの各要素レベルをＰＫＬ（Ｒ）、ＰＫＬ（Ｇ）、ＰＫＬ（Ｂ）とすると、ＬＣＤ１０の表示画面において、最初の走査ラインＭ０に変換されるピクセルＲ００、Ｇ０１、Ｂ０２は、以下の式で求められる。
Ｒ００＝（Ｐ００（Ｒ）＋Ｐ０１（Ｒ）＋Ｐ１０（Ｒ）＋Ｐ１１（Ｒ））／４・・（１）
Ｇ０１＝（Ｐ０１（Ｇ）＋Ｐ０２（Ｇ）＋Ｐ１１（Ｇ）＋Ｐ１２（Ｇ））／４・・（２）
Ｂ０２＝（Ｐ０２（Ｂ）＋Ｐ０３（Ｂ）＋Ｐ１２（Ｂ）＋Ｐ１３（Ｂ））／４・・（３）
となる。
【００２４】
次に、図７（ｄ）、（ｅ）に示すように、原画像における次の連続する２つの水平ラインｍ２、ｍ３の最初の各４ピクセルによる計８ピクセルからＬＣＤ部１０の２番目の水平走査ラインＭ１において、Ｇ、Ｂ、Ｒの順にピクセルＧ１０、Ｂ１１、Ｒ１２を形成する。ここでは、変換ピクセルの順番をＧ、Ｂ、Ｒとすることにより、偶数ラインと奇数ライン間でＲＧＢのピクセルを半ピクセルだけずらしたデルタ型表示にＧ、Ｂ、Ｒの変換を対応させている。従って、ＬＣＤ部１０の２番目の水平走査ラインに変換されたピクセルＧ１０、Ｂ１１、Ｒ１２は、Ｇ、Ｂ、Ｒの順にピクセルを求めることにより、前記の式（１）乃至（３）と同様に、以下の式で求められる。
Ｇ１０＝（Ｐ２０（Ｇ）＋Ｐ２１（Ｇ）＋Ｐ３０（Ｇ）＋Ｐ３１（Ｇ））／４・・（４）
Ｂ１１＝（Ｐ２１（Ｂ）＋Ｐ２２（Ｂ）＋Ｐ３１（Ｂ）＋Ｐ３２（Ｂ））／４・・（５）
Ｒ１２＝（Ｐ２２（Ｒ）＋Ｐ２３（Ｒ）＋Ｐ３２（Ｒ）＋Ｐ３３（Ｒ））／４・・（６）
【００２５】
この変換により、原画像において、格子状のストライプ型に配置された水平方向の２ラインの８ピクセルによる１６ピクセルは、ＬＣＤ部１０におけるデルタ型表示を成す偶数ラインと奇数ラインの２ラインにおける各３ピクセルに変換することができる。すなわち、原画像は、垂直方向において、２水平ライン毎にＬＣＤ部１０の１水平走査ラインに変換されて走査線数が１／２となり、水平方向では、ピクセル数が３／４に変換される。これにより、６４０×４８０ピクセルの原画像を４８０×２４０ピクセル（白黒画面換算）のＬＣＤ画面にスムーズに変換することができる。ここで、図８（ａ）、（ｂ）に原画像の例と、この原画像を上記手順で変換した変換画像をＬＣＤ部１０に表示した例をそれぞれ示す。これら図８（ａ）、（ｂ）に示されるように、原画像の画面がＬＣＤ部１０上で縮小された相似状の画面で表示され、その縮小された複数の変換画像から印刷画像を選択することができ、選択した変換画像に対応する原画像を画像印刷部６で印刷することができる。
【００２６】
このように、本実施形態のプリンタ装置１によれば、６４０×４８０ピクセルの原画像において、垂直方向の水平ライン数を１／２に変換し、水平方向のピクセル数を３／４に変換することにより、原画像よりピクセル数（画素数）の少ない４８０×２４０ピクセルのＬＣＤ部１０に原画像の解像度を低くした画面を表示することができる。これにより、原画像を、原画像よりピクセル数の少ない小型のＬＣＤ画面に表示することができ、原画像のフォーマット変換と表示画面に適した画像サイズへの変換を同時に行うことができる。従って、多数の画像をＬＣＤ部１０に表示できるので、ＬＣＤ部１０に表示された多くの変換画像から印刷したい画像を選択でき、画像印刷時におけるＧＵＩのサービス性を高めることができる。また、原画像からＬＣＤ部１０に表示するＲ、Ｇ、Ｂ画素レベルを、３組の各４ピクセルから抽出したそれぞれのＲ、Ｇ、Ｂ画素レベルの平均により算出するので、従来のようなサンプリングによる重み付け等の複雑な画像演算処理を必要とせず、回路構成が簡単となり安価にでき、かつ画像処理時間を短くできる。また、ＬＣＤ部１０に表示するＲ、Ｇ、Ｂ画素レベルを相関性が高い隣接する４つのピクセルの平均値から求めるので、表示する画素間における急激な画像レベル変化が生じ難く、表示画面のざらつきを低減でき、変換による画質の劣化を抑制できて画像を見易くできる。
【００２７】
なお、本発明は上記実施形態の構成に限定されるものではなく、発明の趣旨を変更しない範囲で適宜に種々の変形が可能である。例えば、原画像入力が６４０×４８０ピクセル画像以外の場合に対しては、その入力原画像を６４０×４８０ピクセル画像に変換する変換アダプタを備えて、一旦、入力原画像を６４０×４８０ピクセル画像に変換することにより、４８０×２８０ピクセルのＬＣＤパネルに表示することができる。また、変換画像の表示デバイスは、ＬＣＤ以外のプラズマディスプレイデバイスやＥＬディスプレイデバイス等であってもよい。また、原画像記憶部は、フラッシュメモリ以外に、小型ハードディスクや、磁気テープなどで構成してもよい。
【図面の簡単な説明】
【００２８】
【図１】本発明の一実施形態に係るプリンタ装置を示す外観図。
【図２】同上装置の電気的ブロック構成図。
【図３】（ａ）は同上装置の原画像の概略構成図、（ｂ）の（ａ）のＡ部の拡大図。
【図４】（ａ）は同上装置におけるＬＣＤ部の表示画像の概略構成図、（ｂ）の（ａ）のＢ部の拡大図。
【図５】同上装置における画像変換のフローチャート。
【図６】（ａ）は格子状の原画像を示す図、（ｂ）は（ａ）の変換画像のＬＣＤ部への表示を示す図。
【図７】（ａ）は最初の４ピクセル×４ラインの原画像を示す図、（ｂ）は（ａ）の上部の２水平ラインの原画像の拡大図、（ｃ）は（ｂ）の原画像からＬＣＤ部のＲ、Ｇ、Ｂへの変換を説明する図、（ｄ）は（ａ）の下部の２水平ラインの原画像の拡大図、（ｅ）は（ｄ）の原画像からＬＣＤ部のＧ、Ｂ、Ｒへの変換を説明する図、（ｆ）は（ａ）の原画像をＬＣＤ部の表示画面に変換した図。
【図８】（ａ）は原画像例、（ｂ）は（ａ）の変換画像のＬＣＤ部における表示例。
【符号の説明】
【００２９】
１  プリンタ装置
３  用紙
６  画像印刷部（画像記録手段）
７  画像変換表示装置（画像変換手段）
８  原画像記憶部（画像記憶手段）
９  画像変換処理部（画像変換手段）
１０  ＬＣＤ部（画像表示手段）
１１  制御部（制御手段）
【図１】
2008114551.tif 000004
【図２】
2008114551.tif 000005
【図５】
2008114551.tif 000006
【図６】
2008114551.tif 000007
【図７】
2008114551.tif 000008
【図３】
2008114551.tif 000009
【図４】
2008114551.tif 000010
【図８】
2008114551.tif 000011